(57)【要約】【課題】ディジタル保護継電器の冗長化に伴う、プラントの監視制御のためのデータ量の増加を抑制できる分散監視制御システムを提供する。【解決手段】  実施形態の分散監視制御システムは、発電プラントを監視・制御する計測・制御機器への状態情報の入出力を制御する入出力制御装置と、前記計測・制御機器を制御する第１の制御装置と、前記発電プラント内の系統事象を検出する第１、第２のディジタル保護継電器と、前記第1、第２のディジタル保護継電器の健全度に基づいて、前記第１，第２のディジタル保護継電器の一方を選択して、制御する第２の制御装置と、前記計測・制御機器および前記選択されたディジタル保護継電器からの状態情報を記憶する記憶部を有する監視操作装置と、を具備する。【選択図】図１
2017022936.tif 000002
【特許請求の範囲】
【請求項１】
発電プラントを監視・制御する計測・制御機器への状態情報の入出力を制御する入出力制御装置と、
前記入出力制御装置と接続され、前記計測・制御機器を制御する第１の制御装置と、
前記発電プラント内の系統事象を検出する第１、第２のディジタル保護継電器と、
前記第１、第２のディジタル保護継電器と接続され、前記第1、第２のディジタル保護継電器の健全度に基づいて、前記第１，第２のディジタル保護継電器の一方を選択して、制御する第２の制御装置と、
前記第１、第２の制御装置と接続され、前記計測・制御機器および前記選択されたディジタル保護継電器からの状態情報を記憶する記憶部を有する監視操作装置と、
を具備する分散監視制御システム。
【請求項２】
前記第１，第２のディジタル保護継電器が、自己の健全度を評価する第１、第２の健全度評価部を有し、
前記第２の制御装置が、前記評価された健全度に基づいて、前記第１，第２のディジタル保護継電器の一方を選択する
請求項１記載の分散監視制御システム。
【請求項３】
前記第１、第２のディジタル保護継電器が、
変成器または遮断器を監視して、前記系統事象を検出する第１、第２の監視制御部と、
前記系統事象の検出時に前記遮断器を制御する第１、第２の保護部と、
前記評価された健全度および前記変成器または前記遮断器からの監視情報を送信する入出力伝送部と、を有する
請求項２記載の分散監視制御システム。
【請求項４】
前記監視操作装置が、操作情報を入力する入力部をさらに有し、
前記入力された操作情報が、前記第１、第２のディジタル保護継電器に並列に出力される
請求項１乃至３のいずれか１項に記載の分散監視制御システム。
【請求項５】
前記発電プラントの状態を表示する表示部と、操作情報を入力する入力部と、を有する給電指令装置と、
前記給電指令装置および前記第２の制御装置と接続され、前記第２の制御装置を介して、前記給電指令装置で入力された操作情報を前記選択されたディジタル保護継電器に出力し、前記選択されたディジタル保護継電器からの状態情報を前記給電指令装置に出力する第３の制御装置と
をさらに具備する請求項１乃至３のいずれか１項に記載の分散監視制御システム。
【請求項６】
前記第３の制御装置が、前記第２の制御装置を介して、前記給電指令装置で入力された操作指令を前記入出力制御装置に出力し、前記入出力制御装置からの状態情報を前記給電指令装置に出力する
請求項５記載の分散監視制御システム。
【発明の詳細な説明】
【技術分野】
【０００１】
本発明の実施形態は，分散監視制御システムに関する。
【背景技術】
【０００２】
保護継電器（保護リレー）は、変成器を介して、電力系統又は電力設備に発生した短絡や地絡などの系統事故を検出し、事故が発生した箇所を健全部から切離す指令を遮断器に出力する。電力系統保護に関わる制御システムでは、ディジタル技術の発達に伴い、マイクロプロセッサを搭載し、ディジタル伝送を活用する、ディジタル保護継電器が主流となっている。発電プラントの分散監視制御システムにおいても、ＩＥＣ６１８５０規格に準じたディジタル保護継電器（ＩＥＤ：Intelligent Electric Device）の適用が拡大している。
【０００３】
保護継電器は、機能や性能に加えて、冗長化による信頼度も要求される。すなわち、共通モードでの故障を排除するために、異なるベンダのディジタル保護継電器や異なる保護方式を適用して冗長化が行われる（例えば、非特許文献１の４．１項参照）。ディジタル保護継電器には、回線（Ｂａｙ）を単位として監視制御ＩＥＤと目的に応じて選定した保護ＩＥＤを組み合わせたシステムが複数利用される（例えば、非特許文献１の図１７参照）。
【先行技術文献】
【非特許文献】
【０００４】
【非特許文献１】IEEE PSRC WGI19 ”Redundancy Considerations for Protective Relaying Systems”
【発明の概要】
【発明が解決しようとする課題】
【０００５】
分散監視制御システムにおいては、冗長化により取り扱うデータ量が増大する。すなわち、冗長化されたディジタル保護継電器は独立した装置として扱われる事により、監視操作装置において監視情報が冗長化度合に応じて増加する。また、対話画面に各ディジタル保護継電器から入力したプラント状態量が表示される。さらに、監視操作装置からの操作指令も、制御装置を介して各ディジタル保護継電器に出力される。
【０００６】
給電指令所及び制御所におけるプラント状態の監視制御においても、上述の監視操作装置と同様の課題を抱えていた。
【０００７】
本発明は上述した課題を解決するためになされたものであり、ディジタル保護継電器の冗長化に伴う、プラントの監視制御のためのデータ量の増加を抑制できる分散監視制御システムを提供することを目的とする。
【課題を解決するための手段】
【０００８】
実施形態に係る分散監視制御システムは、発電プラントを監視・制御する計測・制御機器への状態情報の入出力を制御する入出力制御装置と、前記入出力制御装置と接続され、前記計測・制御機器を制御する第１の制御装置と、前記発電プラント内の系統事象を検出する第１、第２のディジタル保護継電器と、前記第１、第２のディジタル保護継電器と接続され、前記第1、第２のディジタル保護継電器の健全度に基づいて、前記第１，第２のディジタル保護継電器の一方を選択して、制御する第２の制御装置と、前記第１、第２の制御装置と接続され、前記計測・制御機器および前記選択されたディジタル保護継電器からの状態情報を記憶する記憶部を有する監視操作装置と、を具備する。
【発明の効果】
【０００９】
本発明によれば，ディジタル保護継電器の冗長化に伴う、プラントの監視制御のためのデータ量の増加を抑制できる分散監視制御システムを提供できる。
【図面の簡単な説明】
【００１０】
【図１】第１〜第３、第５の実施形態に係る分散監視制御システムの概略構成図である。
【図２】第４、第６の実施形態に係る分散監視制御システムの概略構成図である。
【図３】比較例に係る分散監視制御システムの構成図である。
【図４】第１の実施形態に係る制御装置１と保護継電器２の構成図である。
【図５】第１の実施形態に係る入力データの相関図である。
【図６Ａ】第１の実施形態に係る入力データの構成図である。
【図６Ｂ】第１の実施形態に係る入力データの構成図である。
【図６Ｃ】第１の実施形態に係る入力データの構成図である。
【図６Ｄ】第１の実施形態に係る入力データの構成図である。
【図６Ｅ】第１の実施形態に係る入力データの構成図である。
【図７】第２の実施形態に係る入力データの相関図である。
【図８Ａ】第２の実施形態に係る入出力データの構成図である。
【図８Ｂ】第２の実施形態に係る入出力データの構成図である。
【図８Ｃ】第２の実施形態に係る入出力データの構成図である。
【図８Ｄ】第２の実施形態に係る入出力データの構成図である。
【図９】第３の実施形態に係る制御装置１と保護継電器２の構成図である。
【図１０】第３、第５の実施形態に係る入出力の相関図である。
【図１１Ａ】第３の実施形態に係る入出力データの構成図である。
【図１１Ｂ】第３の実施形態に係る入出力データの構成図である。
【図１１Ｃ】第３の実施形態に係る入出力データの構成図である。
【図１１Ｄ】第３の実施形態に係る入出力データの構成図である。
【図１２】第４の実施形態に係る入出力データの相関図である。
【図１３Ａ】第４の実施形態に係る制御装置１と保護継電器２の構成図である。
【図１３Ｂ】第４の実施形態に係る制御装置１と保護継電器２の構成図である。
【図１４】第４の実施形態の変形例に係る入出力データの相関図である。
【図１５】第５の実施形態に係る入出力データの構成図である。
【図１６】第６の実施形態に係る制御装置１と入出力制御装置６の構成図である。
【図１７】第６の実施形態に係る入出力データの相関図である。
【図１８Ａ】第６の実施形態に係る入出力データの構成図である。
【図１８Ｂ】第６の実施形態に係る入出力データの構成図である。
【図１８Ｃ】第６の実施形態に係る入出力データの構成図である。
【図１８Ｄ】第６の実施形態に係る入出力データの構成図である。
【発明を実施するための形態】
【００１１】
以下、実施形態に係る分散監視制御システムについて、図面を参照して説明する。
【００１２】
（第１の実施形態）
図１、図４を用いて、第１の実施形態を説明する。第１の実施形態に係る分散監視制御システムは、発電プラントを監視・制御する分散システムであり、制御装置１（１Ｘ（１Ｘａ，１Ｘｂ），１Ｙ（１Ｙａ、１Ｙｂ））、入出力制御装置６、ディジタル保護継電器２、監視操作装置３、制御ネットワーク７、Ｉ／Ｏネットワーク８を有する。
【００１３】
制御装置１（１Ｘ（１Ｘａ，１Ｘｂ），１Ｙ（１Ｙａ、１Ｙｂ））は、後述の制御ロジック９に基づいて演算すると共に、監視操作装置３、エンジニアリング装置４、及び入出力制御装置６或いはディジタル保護継電器２と通信する。
【００１４】
制御装置１Ｘは、入出力制御装置６（６Ａ，６Ｂ）と接続され、計測・制御機器を制御する第１の制御装置として機能する。
【００１５】
制御装置１Ｙは、ディジタル保護継電器２（２Ａ，２Ｂ）と接続され、ディジタル保護継電器２Ａ，２Ｂの健全度に基づいて、その一方を制御する第２の制御装置として機能する。
【００１６】
制御装置１Ｘは、制御装置１Ｘａ、１Ｘｂで二重化され、その一方、他方が常用、待機となるように、運転状態が適宜に切り替えられる。制御装置１Ｙは、制御装置１Ｙａ、１Ｙｂで二重化され、その一方、他方が常用、待機となるように、運転状態が適宜に切り替えられる。
【００１７】
制御装置１は、制御ロジック９、制御データ１０、監視操作ＴＡＧ１１、ＩＥＤ受信データ１２、運転制御部１５，演算部１６、伝送部１７，伝送入出力部１８を有する。
【００１８】
ここでは、制御ロジック９、制御データ１０、監視操作ＴＡＧ１１、ＩＥＤ受信データ１２は、それぞれのデータ自体と、これらのデータを記憶する記憶装置（例えば、メモリ、ハードディスク）の双方を意味するものとする。
【００１９】
制御ロジック９は、制御装置１（演算部１６）での演算を規定するソフトウェア（プログラム）である。制御ロジック９は、エンジニアリング装置４を用いてプログラミングされる。
制御データ１０は、制御ロジック９によって参照・更新される入出力値であり、制御装置１Ｘ、１Ｙそれぞれでの制御データ１０Ｘ，１０Ｙに区分できる。
【００２０】
監視操作ＴＡＧ（タグ）１１は、発電プラントを監視、制御するための計測・制御機器（例えば、変流器ＣＴ、変圧器ＶＴ、遮断器ＣＢ、後述の図１６に示す計測機器Ａ１、Ａ２、Ｂ１、Ｂ２、制御機器Ａ３、Ａ４、Ｂ３，Ｂ４）に対応する固有のデータ構造を有する識別子である。具体的には、監視操作ＴＡＧ１１は、計測・制御機器の入力信号（監視データ）または出力信号（制御データ）に対応する複数のタグの集積である。個々のタグは、１つの入力信号（監視データ）または出力信号（制御データ）に対応する。監視操作ＴＡＧ１１は、監視ＴＡＧ１１ａと操作ＴＡＧ１１ｂを含む。監視ＴＡＧ１１ａは、発電プラントを監視するためのタグである。操作ＴＡＧ１１ｂは、発電プラントを操作するためのタグである。
【００２１】
監視操作ＴＡＧ１１は、制御装置１の他に、監視操作装置３にも設置される。
各装置の監視操作ＴＡＧ１１は互いに一致するように定期的に比較、更新される。例えば、制御装置１Ｘａの監視操作ＴＡＧ１１にデータが追加されると、他の制御装置１および監視操作装置３の監視操作ＴＡＧ１１にもデータが追加される。
【００２２】
ＩＥＤ受信データ１２は、ディジタル保護継電器２からの受信データである。ＩＥＤ受信データ１２は、監視制御ＩＥＤ受信データ１２ａ、保護ＩＥＤ受信データ１２ｂを含む。監視制御ＩＥＤ受信データ１２ａ、保護ＩＥＤ受信データ１２ｂはそれぞれ、監視制御ＩＥＤ２ａ、保護ＩＥＤ２ｂからの受信データである。
【００２３】
運転制御部１５は、伝送入出力部１８、演算部１６、及び伝送部１７の実行を制御する制御装置（例えば、CPU(Central Processing Unit)）である。
演算部１６は、制御ロジック９に従って、制御データ１０の入力値を演算し、この演算結果によって、制御データ１０の出力値を更新する演算装置（例えば、CPU(Central Processing Unit)）である。
【００２４】
伝送入出力部１８は、ＩＥＤ受信データ１２を参照・更新すると共に、制御データ１０を更新する入出力装置である。
伝送部１７は、制御データ１０の入出力値を監視操作装置３や他の制御装置１に送信する送受信装置である。
【００２５】
入出力制御装置６は、発電プラントを構成する機器を監視・制御するために配置した計測・制御機器と入出力を行なうと共に、制御装置１と通信する制御装置である。
【００２６】
ディジタル保護継電器２（２Ａ、２Ｂ）は、発電プラントの系統事象（例えば、地絡）を検出して、発電プラントを保護すると共に、制御装置１と通信する。ディジタル保護継電器２は、監視制御ＩＥＤ２ａ（ＩＥＤ２ａ−Ａ、ＩＥＤ２ａ−Ｂ）と保護ＩＥＤ２ｂ（ＩＥＤ２ｂ−Ａ、ＩＥＤ２ｂ−Ｂ）を有し、２組のシステム（監視制御ＩＥＤ２ａおよび保護ＩＥＤ２ｂの組み合わせ）により冗長化されている。
【００２７】
監視制御ＩＥＤ２ａ（監視制御部）はそれぞれ、変流器ＣＴ、変圧器ＶＴ、及び遮断器ＣＢと接続され、変流器ＣＴ、変圧器ＶＴ、及び遮断器ＣＢを監視して、発電プラント内の系統事象（例えば、地絡）を検出する。変流器ＣＴ、変圧器ＶＴによって、発電プラントを構成する電力設備に発生した電流や電圧の急激な変化を検出することで、系統事象を検出できる。
監視制御ＩＥＤ２ａは、入出力データ１４、入出力伝送部１９、入力部２０、健全度評価部２８を有する。
【００２８】
入出力データ１４は、入出力制御装置６からの入出力値自体および入出力値を記憶する記憶装置（例えば、メモリ、ハードディスク）の双方を意味するものとする。
入出力伝送部１９は、健全度Ｈを入出力データ１４と共に送信する送受信装置である。入力部２０は、変成器（変流器ＣＴ、変圧器ＶＴ）や遮断器ＣＢから入力した状態量Ｖによって入出力データ１４を更新する入出力装置である。
【００２９】
保護ＩＥＤ２ｂ（保護部）は、発電プラントを構成する電力設備を保護する制御装置（例えば、CPU(Central Processing Unit)）である。保護ＩＥＤ２ｂは、遮断器ＣＢと接続され、監視制御ＩＥＤ２ａによる系統事象の検出時に遮断器ＣＢを制御することで、発電プラントを構成する電力設備を保護する。
【００３０】
監視制御ＩＥＤ２ａおよび保護ＩＥＤ２ｂは、自己の健全度Ｈを評価する健全度評価部２８を有する。健全度評価部２８は、自己診断機能および外部信号診断機能を有する。自己診断機能は、監視制御ＩＥＤ２ａまたは保護ＩＥＤ２ｂ自体の稼動状態を診断し、障害の有無、程度を診断結果として求める。外部信号診断機能は、監視制御ＩＥＤ２ａおよび保護ＩＥＤ２ｂに入出力される信号（変流器ＣＴ、変圧器ＶＴ、及び遮断器ＣＢへの入出力信号）の状態量Ｖの品質Ｑを求める。健全度評価部２８は、自己診断の結果および状態量Ｖの品質Ｑに基づき健全度Ｈを求める。
【００３１】
この健全度Ｈは、数値で表され、その大きさと健全度Ｈの良さが対応する。例えば、次のように、健全度Ｈが大きくなると、健全度Ｈが良好となる。
健全度Ｈ＝２：  障害無し
健全度Ｈ＝１：  障害軽微（動作に支障なし）
健全度Ｈ＝０：  障害大（動作に支障あり）
【００３２】
監視操作装置３は、運転員が選択・要求した対話画面にプラント状態量Ｖを含めて表示・更新すると共に、監視操作装置３からの操作指令を出力する。
監視操作装置３は、制御装置１Ｘ，１Ｙと接続され、計測・制御機器および選択されたディジタル保護継電器２Ａ，２Ｂからの状態情報を記憶する記憶部（監視操作ＴＡＧ１１）を有する。また、監視操作装置３は、操作情報を入力する入力部を有する。
【００３３】
制御ネットワーク７は、監視操作装置３、エンジニアリング装置４、監視操作装置３、及び制御装置１を接続する。Ｉ／Ｏネットワーク８は、入出力制御装置６或いはディジタル保護継電器２を制御装置１と接続する。
【００３４】
（動作）
次に、通常時の動作を説明する。図５に示した制御装置１Ｙ、監視制御ＩＥＤ２ａ、及び監視操作装置３は、図１と図４に示した制御装置１Ｙａ、監視制御ＩＥＤ２ａ、及び監視操作装置３に各々対応している。
【００３５】
監視制御ＩＥＤ２ａの入出力伝送部１９は、健全度Ｈ、状態量Ｖ、品質Ｑ、及びタイムスタンプＴを送信する。
制御装置１Ｙａの伝送入出力部１８は、ＩＥＤ受信データ１２中の監視制御ＩＥＤ受信データ１２ａに含まれる健全度Ｈを比較し、より健全度Ｈが高い監視制御ＩＥＤ２ａ（ディジタル保護継電器２）を選択し、監視制御ＩＥＤ２ａの状態量Ｖ、品質Ｑ、及びタイムスタンプＴによって制御データ１０を更新する。
制御装置１Ｙａの伝送部１７は、制御データ１０を参照して監視操作装置３の監視ＴＡＧ１１ａに入力する状態量Ｖ、品質Ｑ、及びタイムスタンプＴを送信する。
【００３６】
監視操作装置３は、制御装置１Ｙからの受信データに含まれる状態量Ｖ、品質ＱおよびタイムスタンプＴによって監視ＴＡＧ１１ａを更新する。
【００３７】
図６Ａ〜図６Ｅは，参照・更新される監視制御ＩＥＤ２ａの入出力データ１４と送信データ２２ｂ、制御装置１Ｙの監視制御ＩＥＤ２ａのＩＥＤ受信データ１２ａと制御データ１０、及び監視操作装置３の監視ＴＡＧ１１ａを示している。
【００３８】
監視制御ＩＥＤ２ａの入出力データ１４には、当該ディジタル保護継電器２が入出力対象とする変成器（変流器ＣＴ、変圧器ＶＴ）や遮断器ＣＢを識別するデバイス名と入出力を識別する入出力指標が予め定義されている。
入力部２０は、変流器ＣＴ、変圧器ＶＴ、及び遮断器ＣＢから入力した状態量Ｖ（ＣＴｖ、ＶＴｖ及びＣＢｖ）を、機器状態を反映した品質Ｑ（ＣＴｑ、ＶＴｑ及びＣＢｑ）、入力日時を示すタイムスタンプＴ（ＣＴｔ、ＶＴｔ及びＣＢｔ）と共に、入出力データ１４に格納する。
入出力伝送部１９は、更新された入出力データ１４中の状態量Ｖ、品質Ｑ、及びタイムスタンプＴ、健全度Ｈを含む送信データを制御装置１Ｙに送信する。
【００３９】
制御装置１Ｙ（１Ｙａ，１Ｙｂ）の制御データ１０Ｙには、識別情報が予め含まれている。この識別情報は、その制御装置１Ｙが提供する監視ＴＡＧ１１ａを識別するＴＡＧ名、監視ＴＡＧ１１ａと関連付けられるディジタル保護継電器２を識別する装置名（識別子）、及び当該ディジタル保護継電器２が入出力対象とする変成器や遮断器ＣＢを識別するデバイス名を定義する。
【００４０】
伝送入出力部１８は、監視制御ＩＥＤ２ａからの受信データによって装置名と対応する監視制御ＩＥＤ受信データ１２ａを更新する。選択しているディジタル保護継電器２の健全度Ｈより、他方のディジタル保護継電器２の健全度Ｈが高い場合は、選択する監視制御ＩＥＤ２ａ（ディジタル保護継電器２）が変更される。
【００４１】
また、伝送入出力部１８は、選択しているディジタル保護継電器２と受信データの装置名が合致した場合、対応する監視制御ＩＥＤ受信データ１２ａを参照して、制御データ１０のデバイス名と合致する状態量Ｖ、品質ＱおよびタイムスタンプＴを更新する。これにより、制御データ１０のデバイスに対応する状態量Ｖ、品質ＱおよびタイムスタンプＴは、制御装置１が選択した健全度Ｈの高いディジタル保護継電器２の送信データ２２ｂによって、更新される。
【００４２】
伝送部１７は、制御データ１０を参照して更新された監視ＴＡＧ１１ａに対応する状態量Ｖ、品質Ｑ及びタイムスタンプＴを含む送信データを監視操作装置３や他の制御装置１に送信する。
【００４３】
監視操作装置３の監視ＴＡＧ１１ａは、制御装置１が提供する監視操作ＴＡＧ１１を識別するＴＡＧ名を定義する識別情報を含む。監視操作装置３は、制御装置１からの監視ＴＡＧ受信データによりＴＡＧ名が合致する監視ＴＡＧ１１ａの状態量Ｖ、品質ＱおよびタイムスタンプＴを更新する。
【００４４】
以上の結果により、監視操作装置３と制御装置１、制御装置１とディジタル保護継電器２の通信が成立する。本実施形態では、ディジタル保護継電器２の冗長化度合を二重と一定にしている。これに対して、冗長化度合の異なるディジタル保護継電器２を利用しても良い。例えば、制御データ１０において、監視ＴＡＧ１１ａに関連付けるディジタル保護継電器２を識別する装置名の数を監視ＴＡＧ１１ａ毎に可変とする。
【００４５】
本実施形態によれば、健全度Ｈに応じて最も信頼できるディジタル保護継電器２Ａ，２Ｂが自動的に選択され、監視ＴＡＧ１１ａの状態量Ｖ、品質ＱおよびタイムスタンプＴが更新される。このため、冗長化度合に応じて、監視操作装置３の対話画面を変更する必要は無くなる。更に、健全度Ｈの低いディジタル保護継電器２Ａ，２Ｂから入力した状態量Ｖを表示しないので、誤認識による操作も無くなり、分散監視制御システムの信頼性が向上する
【００４６】
これに対して、図３に示す比較例に係る分散監視制御システムでは、ディジタル保護継電器２Ａ，２Ｂの双方からのデータを監視操作ＴＡＧ１１（監視操作ＴＡＧ１１Ａ，１１Ｂ）に保持する必要がある。また、監視操作装置３の対話画面においても、ディジタル保護継電器２Ａ，２Ｂの双方からのデータを監視操作ＴＡＧ１１Ａ，１１Ｂとして表示することとなり、認識の煩雑、誤認識を招くおそれがある。
【００４７】
（第２の実施形態）
第２の実施形態に係る分散監視制御システムを図１、図７、図８Ａ〜図８Ｄを用いて説明する。なお第１の実施形態と同一の構成には同一の符号を付し、重複する説明は省略する。
【００４８】
通常時の動作を説明する。図７に示した制御装置１Ｙ、監視制御ＩＥＤ２ａ、保護ＩＥＤ２ｂ及び監視操作装置３は、図１に示した制御装置１Ｙａ、監視制御ＩＥＤ２ａ、保護ＩＥＤ２ｂ及び監視操作装置３に各々対応している。監視制御ＩＥＤ２ａの入出力伝送部１９は、健全度Ｈと入出力データ１４の状態量Ｖ、品質Ｑ、及びタイムスタンプＴを送信する。
【００４９】
保護ＩＥＤ２ｂの入出力伝送部１９は、健全度Ｈを送信する。
制御装置１Ｙａの伝送入出力部１８は、監視制御ＩＥＤ受信データ１２ａと保護ＩＥＤ受信データ１２ｂに含まれる健全度Ｈからシステムの健全度Ｈを算出・比較して、より健全度Ｈが高いシステム（ディジタル保護継電器２Ａ，２Ｂ）を選択する。また、伝送入出力部１８は、選択した監視制御ＩＥＤ２ａからの監視制御ＩＥＤ受信データ１２ａに含まれる状態量Ｖ、品質Ｑ、及びタイムスタンプＴによって、制御データ１０を更新する。
【００５０】
健全度Ｈが高い程大きな数値で表現される場合、システムの健全度Ｈは、例えば、以下に示す式で算出できる。ここでは、監視制御ＩＥＤ２ａ、保護ＩＥＤ２ｂの健全度の内の小さい方がディジタル保護継電器２全体の健全度Ｈとしている。
システムの健全度Ｈ＝ＭＩＮ（監視制御ＩＥＤの健全度、保護ＩＥＤの健全度）
【００５１】
図８Ａ〜図８Ｄは、参照・更新される監視制御ＩＥＤ２ａの入出力データ１４と送信データ、保護ＩＥＤ２ｂの送信データ、制御装置１のＩＥＤ受信データ１２と制御データ１０を示している。
【００５２】
保護ＩＥＤ２ｂの入出力データ１４には、監視制御ＩＥＤ２ａと同様に、当該ディジタル保護継電器２が入出力対象とする変成器や遮断器ＣＢを識別するデバイス名と入出力を識別する入出力指標が予め含まれる。
【００５３】
入出力伝送部１９は、更新された入出力データ１４の状態量Ｖ、品質Ｑ、及びタイムスタンプＴと共に、保護ＩＥＤ２ｂが備える自己診断結果や状態量Ｖの品質Ｑを健全度Ｈに反映した送信データを制御装置１Ｙに送信する。
【００５４】
伝送入出力部１８は、監視制御ＩＥＤ２ａからの受信データによって、装置名が合致する監視制御ＩＥＤ受信データ１２ａを更新する。伝送入出力部１８は、保護ＩＥＤ２ｂからの受信データで装置名が合致する保護ＩＥＤ受信データ１２ｂを更新する。また、伝送入出力部１８は、システムの健全度Ｈを再計算して、選択しているシステムの健全度Ｈより、受信したシステムの健全度Ｈが高い場合は、選択するシステムを変更する。また、選択しているシステムと受信データの装置名が属するシステムが合致した場合、対応する監視制御ＩＥＤ受信データ１２ａを参照して制御データ１０のデバイス名が合致する状態量Ｖ、品質ＱおよびタイムスタンプＴを更新する。
【００５５】
これにより制御データ１０のデバイスに対応する状態量Ｖ、品質ＱおよびタイムスタンプＴは、制御装置１が選択した健全度Ｈの高いディジタル保護継電器２からの送信データにより更新される。
伝送部１７は、制御データ１０を参照して更新された監視ＴＡＧ１１ａに対応する状態量Ｖ、品質Ｑ及びタイムスタンプＴを含むＴＡＧ送信データを監視操作装置３や他の制御装置１に送信する。
【００５６】
監視操作装置３の監視ＴＡＧ１１ａでは、第１の実施形態と同様、制御装置１が提供する監視操作ＴＡＧ１１を識別するＴＡＧ名が予め定義されている。監視操作装置３は、制御装置１からのＴＡＧ受信データ２３ａによりＴＡＧ名が合致する監視ＴＡＧ１１ａの状態量Ｖ、品質Ｑ、及びタイムスタンプＴを更新する。
【００５７】
本実施の形態によれば、冗長化されたディジタル保護継電器２の健全度Ｈが監視制御ＩＥＤ２ａと連動する保護ＩＥＤ２ｂを含めて算出され、より信頼できるディジタル保護継電器２の状態量Ｖ、品質ＱおよびタイムスタンプＴが監視ＴＡＧ１１ａによって自動的に選択される。このため、分散監視制御システムの信頼性がより向上する。
【００５８】
（第３の実施形態）
第３の実施形態に係る分散監視制御システムを図１、図９、図１０，図１１Ａ〜図１１Ｄを用いて説明する。なお第１の実施形態と同一の構成には同一の符号を付し、重複する説明は省略する。
【００５９】
監視制御ＩＥＤ２ａは、制御装置１Ｙからの受信データ２２ａに含まれる制御量Ｃによって入出力データ１４を更新する。監視制御ＩＥＤ２ａは、入出力伝送部１９、入力部２０、出力部２１を有する。入出力伝送部１９は、健全度Ｈを入出力データ１４と共に送信する。入力部２０は、変成器や遮断器ＣＢから入力した状態量Ｖによって入出力データ１４を更新する。出力部２１は、更新された入出力データ１４の制御量Ｃを遮断器ＣＢに出力する。
【００６０】
次に、通常時の動作を説明する。図１０に示した制御装置１Ｙ、監視制御ＩＥＤ２ａ、及び監視操作装置３は、図１と図９に示した制御装置１Ｙａ、監視制御ＩＥＤ２ａ、及び監視操作装置３に各々対応している。
【００６１】
監視制御ＩＥＤ２ａの入出力伝送部１９は、健全度Ｈ、状態量Ｖ、品質Ｑ、及びタイムスタンプＴを送信すると共に、制御装置１Ｙから受信した制御量Ｃによって入出力データ１４を更新する。制御装置１Ｙの伝送入出力部１８は、監視制御ＩＥＤ受信データ１２ａに含まれる健全度Ｈを比較する事で、より健全度Ｈが高い監視制御ＩＥＤを選択する。また、伝送入出力部１８は、選択した監視制御ＩＥＤ２ａからの監視制御ＩＥＤ受信データ１２ａに含まれる状態量Ｖ、品質Ｑ、及びタイムスタンプＴによって制御データ１０を更新する。伝送入出力部１８は、更新された制御量Ｃを監視制御ＩＥＤ２ａに送信する。
【００６２】
制御装置１Ｙａの伝送部１７は、制御データ１０を参照して監視操作装置３の監視操作ＴＡＧ１１に入力する状態量Ｖ、品質Ｑ、及びタイムスタンプＴを送信する。また、伝送部１７は、操作ＴＡＧ１１ｂへの制御量Ｃを制御データ１０に更新する。
【００６３】
監視操作装置３は、制御装置１Ｙからの受信データに含まれる状態量Ｖ、品質ＱおよびタイムスタンプＴで監視操作ＴＡＧ１１を更新する。また、監視操作装置３は、操作ＴＡＧ１１ｂ中の制御量Ｃを制御装置１Ｙに送信する。
【００６４】
図１１Ａ〜図１１Ｄは、参照・更新される監視制御ＩＥＤ２ａの入出力データ１４、受信データ２２ａ、及び送信データ２２ｂ、制御装置１Ｙの監視制御ＩＥＤ受信データ１２ａ、監視制御ＩＥＤ送信データ１３、及び制御データ１０を示している。
【００６５】
出力部２１は、更新された入出力データ１４の制御量Ｃを遮断器ＣＢに出力する。
入出力伝送部１９は、更新された入出力データ１４の状態量Ｖ、品質Ｑ、及びタイムスタンプＴと、監視制御ＩＥＤ２ａが備える自己診断結果や状態量Ｖの品質Ｑを反映した健全度Ｈを含む送信データを制御装置１Ｙに送信する。また、入出力伝送部１９は、受信データ２２ａに含まれる制御量Ｃによって入出力データ１４を更新する。
【００６６】
制御装置１Ｙの制御データ１０は、当該制御装置１が提供する監視操作ＴＡＧ１１を識別するＴＡＧ名、監視操作ＴＡＧ１１に関連付けるディジタル保護継電器２を識別する装置名、及びディジタル保護継電器２が入出力対象とする変成器や遮断器ＣＢを識別するデバイス名を定義する情報を予め含む。
【００６７】
伝送入出力部１８は、監視制御ＩＥＤ２ａからの受信データによって装置名が合致する監視制御ＩＥＤ受信データ１２ａを更新する。伝送入出力部１８は、選択しているディジタル保護継電器２の健全度Ｈより、他方のディジタル保護継電器２の健全度Ｈが高い場合は、監視制御ＩＥＤの選択を変更する。また、伝送入出力部１８は、選択しているディジタル保護継電器２と受信データの装置名が合致した場合、対応する監視制御ＩＥＤ受信データを参照して制御データ１０中のデバイス名が合致する状態量Ｖ、品質ＱおよびタイムスタンプＴを更新する。更に、伝送入出力部１８は、更新された制御データ１０の制御量Ｃを含む監視制御ＩＥＤ送信データ１３を監視制御ＩＥＤ２ａに送信する。
【００６８】
伝送部１７は、制御データ１０を参照して更新された監視操作ＴＡＧ１１に対応する状態量Ｖ、品質Ｑ及びタイムスタンプＴを含むＴＡＧ送信データを監視操作装置３や他の制御装置１に送信する。また、伝送部１７は、監視操作装置３や他の制御装置１から受信したＴＡＧ受信データ２３ａに含まれる制御量Ｃによって制御データ１０を更新する。
【００６９】
監視操作装置３の監視操作ＴＡＧ１１は、制御装置１が提供する監視操作ＴＡＧ１１を識別するＴＡＧ名を定義する情報を予め含む。
監視操作装置３は、制御装置１ＹからのＴＡＧ受信データ２３ａによりＴＡＧ名が合致する監視操作ＴＡＧ１１の状態量Ｖ、品質ＱおよびタイムスタンプＴを更新する。監視操作装置３は、操作ＴＡＧ１１ｂの制御量Ｃを含むＴＡＧ送信データを制御装置１Ｙに送信する。
【００７０】
本実施の形態によれば、冗長化されたディジタル保護継電器２の健全度Ｈに応じて最も信頼できるディジタル保護継電器２の状態量Ｖ、品質ＱおよびタイムスタンプＴが監視操作ＴＡＧ１１に自動的に選択される。また、操作ＴＡＧ１１ｂ中の操作指令は冗長化された各ディジタル保護継電器２に並列に出力される。このため、監視操作装置３や他の制御装置１がディジタル保護継電器２の冗長化度合に依存した表示と操作を不要とすることができる。ディジタル保護継電器２の冗長化度合は、特定の制御装置１に隠蔽されるので、保守性の良い高品質の分散監視制御システムを提供できる。
【００７１】
（第４の実施形態）
次に、第４の実施形態に係る分散監視制御システムを図２、図１２〜図１３を用いて説明する。なお第３の実施形態と同一の構成には同一の符号を付し、重複する説明は省略する。
【００７２】
図２に示した分散監視制御システムは、図１に示した分散監視制御システムに対してエンジニアリング装置４でプログラミングされた制御ロジック９によって演算する。分散監視制御システムは、第３の実施形態に対して、給電指令装置５が追加されている。
【００７３】
制御装置１（１Ｘ，１Ｙ，１Ｚ）は、監視操作装置３、エンジニアリング装置４、及び給電指令装置５と通信する。Ｉ／Ｏネットワーク８は、給電指令装置５とディジタル保護継電器２を制御装置１と接続する。
【００７４】
給電指令装置５は、監視操作点２８を有し、運転員が選択・要求した対話画面にプラント状態量Ｖを含めて表示・更新すると共に、操作指令を出力する。すなわち、給電指令装置５は、発電プラントの状態を表示する表示部と操作情報を入力する入力部を有する。
【００７５】
通常時の動作を説明する。図１２に示した制御装置１Ｙ，１Ｚ、監視制御ＩＥＤ２ａ（ＩＥＤ２ａ−Ａ，ＩＥＤ２ａ−Ｂ）、及び給電指令装置５は、図２に示した制御装置１Ｙ，１Ｚ、監視制御ＩＥＤ２ａ、及び給電指令装置５に各々対応している。制御装置１Ｙ，１Ｚと監視制御ＩＥＤ２ａは、第３の実施形態と同様である事から、説明を省略する。
【００７６】
制御装置１Ｚは、制御装置１Ｙからの受信データに含まれる状態量Ｖ、品質ＱおよびタイムスタンプＴで監視操作ＴＡＧ１１を更新すると共に、給電指令装置５に転送する。また、制御装置１Ｚは、給電指令装置５の操作指令を操作ＴＡＧ１１ｂへの操作指令として制御装置１Ｙに転送する。
【００７７】
制御装置１Ｚは、給電指令装置５および制御装置１Ｙと接続され、制御装置１Ｙを介して、給電指令装置５で入力された操作情報を選択されたディジタル保護継電器２Ａ，２Ｂに出力し、選択されたディジタル保護継電器２Ａ，２Ｂからの状態情報を給電指令装置５に出力する第３の制御装置として機能する。
【００７８】
制御装置１Ｚは、制御装置１Ｙを介して、給電指令装置５で入力された操作指令を監視制御ＩＥＤ２ａに出力し、監視制御ＩＥＤ２ａからの状態情報を給電指令装置５に出力する
【００７９】
図１２に示した制御装置１と監視制御ＩＥＤ２ａは、図２と図９に示した制御装置１、監視制御ＩＥＤ２ａに各々対応している。
【００８０】
図１３Ａ，図１３Ｂには、参照・更新される監視制御ＩＥＤ２ａの入出力データ１４と送受信データ、制御装置１Ｙの監視制御ＩＥＤ受信データ１２ａ、監視制御ＩＥＤ送信データ１３、及び制御データ１０、制御装置１Ｚの制御データ１０、ＴＡＧ受信データ２３ａ、及び給電指令受信データ２５を示している。
【００８１】
監視制御ＩＥＤ２ａの入出力データ１４は、当該ディジタル保護継電器２が入出力対象とする変成器や遮断器ＣＢを識別するデバイス名と入出力を識別する入出力指標を予め含む。
入力部２０は、変流器ＣＴ、変圧器ＶＴ、及び遮断器ＣＢから入力した状態量Ｖ、品質Ｑ、タイムスタンプＴを入出力データ１４に格納する。
出力部２１は、入出力データ１４の制御量ＣＢｃを遮断器ＣＢに出力する。
入出力伝送部１９は、更新された入出力データ１４の状態量Ｖ、品質Ｑ、及びタイムスタンプＴと、健全度Ｈを含む送信データを制御装置１Ｙに送信する。また、入出力伝送部１９は、受信データに含まれる制御量ＣＢｃによって入出力データ１４を更新する。
【００８２】
制御装置１Ｙの制御データ１０Ｙには、当該制御装置１が提供する監視操作ＴＡＧ１１を識別するＴＡＧ名、監視操作ＴＡＧ１１に関連付けるディジタル保護継電器２を識別する装置名、及び当該ディジタル保護継電器２が入出力対象とする変成器や遮断器ＣＢを識別するデバイス名の情報が予め含まれる。
【００８３】
伝送入出力部１８は、監視制御ＩＥＤ２ａからの受信データで装置名が合致する監視制御ＩＥＤ受信データを更新する。選択しているディジタル保護継電器２の健全度Ｈより、他方のディジタル保護継電器２の健全度Ｈが高い場合は、監視制御ＩＥＤの選択が変更される。また、伝送入出力部１８は、選択しているディジタル保護継電器２と受信データの装置名が合致した場合、対応する監視制御ＩＥＤ受信データを参照して制御データ１０のデバイス名が合致する状態量Ｖ、品質ＱおよびタイムスタンプＴを更新する。
更に、伝送入出力部１８は、更新された制御データ１０Ｙ中の制御量ＣＢｃを含む監視制御ＩＥＤ送信データを監視制御ＩＥＤ２ａに送信する。
【００８４】
伝送部１７は、制御データ１０Ｙを参照して更新された監視操作ＴＡＧ１１に対応する状態量Ｖ、品質Ｑ及びタイムスタンプＴを含むＴＡＧ送信データを、監視操作装置３や他の制御装置１に送信する。また、伝送部１７は、監視操作装置３や制御装置１Ｚから受信したＴＡＧ受信データ２３ａに含まれる制御量ＣＢｃによって制御データ１０を更新する。
【００８５】
制御装置１Ｚの制御データ１０Ｚは、ディジタル保護継電器２が入出力対象とする変成器や遮断器ＣＢを識別するデバイス名、監視操作ＴＡＧ１１を提供する制御装置名、監視操作ＴＡＧ名を表す情報を予め含む。
【００８６】
制御装置１Ｚの伝送部１７は、制御装置１ＹからのＴＡＧ受信データ２３ａとＴＡＧ名が合致する監視操作ＴＡＧ１１の状態量Ｖ、品質ＱおよびタイムスタンプＴによって、制御データ１０Ｚを更新する。また、伝送部１７は、更新された制御量ＣＢｃを含むＴＡＧ送信データを制御装置１Ｙに転送する。
【００８７】
伝送入出力部１８は、更新された制御データ１０の状態量Ｖ、品質ＱおよびタイムスタンプＴを給電指令装置５に転送する。また、伝送入出力部１８は、給電指令装置５から受信した給電指令受信データ２５に含まれる制御量Ｃによって制御データ１０を更新する。
【００８８】
以上の結果により、給電指令装置５と制御装置１Ｚ、制御装置１Ｚと制御装置１Ｙ、制御装置１Ｙとディジタル保護継電器２の通信が成立する。本実施形態では、給電指令装置５と通信する専用の制御装置１Ｚを設けているが、図１４の様に制御装置１Ｚの機能を制御装置１Ｙに実装しても良い。
【００８９】
本実施の形態によれば、監視操作ＴＡＧ１１を介して冗長化されたディジタル保護継電器２の健全度Ｈに応じて最も信頼できるディジタル保護継電器２の状態量Ｖ、品質ＱおよびタイムスタンプＴが給電指令装置５に入力される。また、操作ＴＡＧ１１を介して給電指令装置５による操作指令は冗長化された各ディジタル保護継電器２に並列に出力される。このため、給電指令装置５において、ディジタル保護継電器２の冗長化度合に依存した表示と操作は不要にすることができる。制御装置１Ｚの機能を実装した制御装置１Ｙは、監視操作ＴＡＧ１１を介した伝送を必要としないので、応答性の良い分散監視制御システムを提供することができる。
【００９０】
（第５の実施形態）
第５の実施形態に係る分散監視制御システムを図１、図１０と図１５を用いて説明する。なお第１の実施形態と同一の構成には同一の符号を付し、重複する説明は省略する。第３の実施形態との相違は、システムを構成するディジタル保護継電器２が入出力対象とする変成器や遮断器ＣＢを識別するデバイス名をディジタル保護継電器２毎に定義できる事にある。
【００９１】
分散監視制御システムは、制御装置１、入出力制御装置６、ディジタル保護継電器２、監視操作装置３、制御ネットワーク７、Ｉ／Ｏネットワーク８を有する。
【００９２】
制御装置１は、制御ロジック９によって演算すると共に、監視操作装置３、エンジニアリング装置４、及び入出力制御装置６或いはディジタル保護継電器２と通信する。
入出力制御装置６は、プラントを構成する機器を監視・制御するために配置した計測・制御機器と入出力を行なうと共に制御装置１と通信する。
ディジタル保護継電器２は、プラントを構成する電力設備に発生した電流や電圧の急激な変化を検出して電気回路を保護する指令を出すと共に制御装置１と通信する。
監視操作装置３は、運転員が選択・要求した対話画面にプラント状態量を含めて表示・更新すると共に、監視操作装置３からの操作指令を出力する。
制御ネットワーク７は、エンジニアリング装置４、監視操作装置３、及び制御装置１を接続する。
Ｉ／Ｏネットワーク８は、入出力制御装置６或いはディジタル保護継電器２を制御装置１と接続する。
【００９３】
制御装置１Ｙａの伝送部１７は、制御データ１０を参照して監視操作装置３の監視操作ＴＡＧ１１中の状態量Ｖ、品質Ｑ、及びタイムスタンプＴを送信すると共に、操作ＴＡＧ１１ｂへの制御量Ｃによって制御データ１０を更新する。
監視操作装置３は、制御装置１Ｙからの受信データに含まれる状態量Ｖ、品質ＱおよびタイムスタンプＴで監視操作ＴＡＧ１１を更新すると共に、操作ＴＡＧ１１の制御量Ｃを制御装置１Ｙに送信する。
【００９４】
図１０に示した制御装置１Ｙ、監視制御ＩＥＤ２ａ、及び監視操作装置３は、図１に示した制御装置１Ｙ、監視制御ＩＥＤ２ａ、及び監視操作装置３に各々対応している。
図１５は、制御装置１Ｙが、参照・更新される監視制御ＩＥＤ２ａの入出力データ１４に送受信するデータ（制御装置１Ｙの監視制御ＩＥＤ受信データ１２ａ、監視制御ＩＥＤ送信データ１３、及び制御データ１０Ｙ）を示す。
【００９５】
監視操作装置３の監視操作ＴＡＧ１１には、制御装置１が提供する監視操作ＴＡＧ１１を識別するＴＡＧ名が予め定義されている。
監視操作装置３は、制御装置１Ｙからの受信データをＴＡＧ名が合致する状態量Ｖ、品質ＱおよびタイムスタンプＴで更新すると共に、操作ＴＡＧ１１の制御量Ｃを含むＴＡＧ送信データを制御装置１Ｙに送信する。
【００９６】
以上の結果により、監視操作装置３と制御装置１、制御装置１とディジタル保護継電器２の通信が成立する。
【００９７】
本実施の形態によれば、冗長化されたディジタル保護継電器２に対して識別するデバイス名が異なる変成器や遮断器ＣＢを定義できるので、異なる型式のディジタル保護継電器２による冗長化を可能となる。異なる型式のディジタル保護継電器２による冗長化は、共通モード故障を排除できるので、価格性能比の優れた高品質の分散監視制御システムを提供できる。
【００９８】
（第６の実施形態）
第６の実施形態に係る分散監視制御システムを図２、図１６、図１７，図１８Ａ〜図１８Ｄを用いて説明する。なお第４の実施形態と同一の構成には同一の符号を付し、重複する説明は省略する。
【００９９】
通常時の動作を説明する。図１６に示した制御装置１Ｘと入出力制御装置６は、図２に示した制御装置１Ｘと入出力制御装置６に各々対応している。
制御装置１は、制御ロジック９、制御データ１０、演算部１６、入出力制御装置受信データ２６ａ、伝送入出力部１８、伝送部１７、運転制御部１５を有する。
【０１００】
制御データ１０は、制御ロジック９によって参照・更新される入出力値を保持する。
演算部１６は、制御データ１０の入力値を制御ロジック９に従って演算し、演算結果によって制御データ１０の出力値を更新する。
入出力制御装置受信データ２６ａは、入力制御装置６からの受信データを記憶する。
伝送入出力部１８は、受信データを参照・更新すると共に、制御データ１０を更新する。
伝送部１７は、制御データ１０の入出力値を監視操作装置３や他の制御装置１と通信する。
運転制御部１５は、伝送入出力部１８、演算部１６、及び伝送部１７の実行を制御する。
【０１０１】
入出力制御装置６は、入出力伝送部１９、入力部２０、出力部２１を有する。
入出力伝送部１９は、入出力値、制御装置１Ｘからの受信データに含まれる制御量Ｃによって入出力データ１４を更新すると共に、入出力データ１４中の入力データを送信する。
入力部２０は、計測機器から入力したプラント状態量によって入出力データ１４を更新する。
出力部２１は、更新された入出力データ１４の出力値を制御機器に出力する。
本実施形態に係る入出力制御装置６Ａには、計測・制御機器として、計測機器Ａ１、Ａ２、制御機器Ａ３、Ａ４が、入出力制御装置６Ｂには計測機器Ｂ１、Ｂ２、制御機器Ｂ３，Ｂ４がそれぞれ接続されている。
【０１０２】
図１７に示した制御装置１Ｘ、入出力制御装置６、及び給電指令装置５は、図２に示した制御装置１、入出力制御装置６、及び給電指令装置５に各々対応している。
入出力制御装置６の入出力伝送部１９は、入出力データ１４の状態量Ｖ、品質Ｑ、及びタイムスタンプＴを送信すると共に、制御装置１Ｘから受信した制御量Ｃによって入出力データ１４を更新する。
【０１０３】
制御装置１Ｘの伝送入出力部１８は、受信データに含まれる状態量Ｖ、品質Ｑ、及びタイムスタンプＴによって制御データ１０を更新すると共に、更新された制御データ１０の制御量Ｃを入出力制御装置６に送信する。
制御装置１Ｘａの伝送部１７は、制御データ１０を参照して、監視操作装置３や他の制御装置１の監視操作ＴＡＧ１１の状態量Ｖ、品質Ｑ、及びタイムスタンプＴを送信すると共に、受信した操作ＴＡＧ１１ｂの制御量Ｃによって制御データ１０を更新する。
【０１０４】
制御装置１Ｚは、制御装置１Ｘからの受信データに含まれる状態量Ｖ、品質ＱおよびタイムスタンプＴによって、監視操作ＴＡＧ１１を更新すると共に、給電指令装置５に転送する。また、制御装置１Ｚは、給電指令装置５の操作指令を操作ＴＡＧ１１ｂの制御量Ｃとして制御装置１Ｘに転送する。
【０１０５】
図１８Ａ〜図１８Ｄは、参照・更新される入出力制御装置６の入出力データ１４と送受信データ、制御装置１Ｘの送受信データと制御データ１０Ｚ、制御装置１ＺのＴＡＧ受信データ２３ａ、給電指令受信データ２５、及び制御データ１０を示している。
【０１０６】
入出力制御装置６の入出力データ１４には、当該入出力制御装置６が入出力対象とする計測機器や制御機器を識別するデバイス名と入出力を識別する入出力指標が予め定義されている。
入出力制御装置６Ａの入力部２０は、計測機器から入力した状態量Ａ１ｖとＡ２ｖ、機器状態を反映した品質Ａ１ｑとＡ２ｑ、入力日時を示すタイムスタンプＡ１ｔとＡ２ｔと共に入出力データ１４に格納する。
【０１０７】
出力部２１は、更新された入出力データ１４の制御量Ａ３ｃとＡ４ｃを制御機器に出力すると共に、機器状態を反映した品質Ａ３ｑとＡ４ｑ、出力日時を示すタイムスタンプＡ３ｔとＡ４ｔを更新する。
入出力伝送部１９は、更新された入出力データ１４からの送信データを制御装置１Ｘに送信すると共に、受信データに含まれる制御量Ａ３ｃやＡ４ｃによって入出力データ１４を更新する。
【０１０８】
入出力制御装置６Ｂの入力部２０は、計測機器から入力した状態量Ｂ１ｖとＢ２ｖ、機器状態を反映した品質Ｂ１ｑとＢ２ｑ、および入力日時を示すタイムスタンプＢ１ｔとＢ２ｔを入出力データ１４に格納する。
出力部２１は、入出力データ１４の制御量Ｂ３ｃとＢ４ｃを制御機器に出力すると共に、機器状態Ｂ３ｑとＢ４ｑ、出力日時を示すタイムスタンプＢ３ｔとＢ４ｔを更新する。
入出力伝送部１９は、更新された入出力データ１４からの送信データを制御装置１Ｘに送信すると共に、受信データに含まれる制御量Ｂ３ｃやＢ４ｃによって入出力データ１４を更新する。
【０１０９】
制御装置１Ｘの制御データ１０は、当該制御装置１が提供する監視操作ＴＡＧ１１を識別するＴＡＧ名、監視操作ＴＡＧ１１に関連付けられる入出力制御装置６を識別する装置名、及び当該入出力制御装置６が入出力対象とする計測機器や制御機器を識別するデバイス名を予め含む。
【０１１０】
伝送入出力部１８は、入出力制御装置６からの受信データで入出力装置名が合致する入出力制御装置受信データ２６ａを更新すると共に、制御データ１０のデバイス名が合致する状態量Ｖ、品質ＱおよびタイムスタンプＴを更新する。更に、伝送入出力部１８は、更新された制御データ１０の制御量Ａ３ｃやＢ３ｃを含む入出力制御装置送信データ２６ｂを入出力制御装置６に送信する。
【０１１１】
伝送部１７は、制御データ１０を参照して監視操作ＴＡＧ１１に対応する状態量Ｖ、品質Ｑ及びタイムスタンプＴを含むＴＡＧ送信データを、監視操作装置３や他の制御装置１に送信すると共に、監視操作装置３や他の制御装置１から受信した制御量Ａ３ｃやＢ３ｃによって制御データ１０を更新する。
【０１１２】
制御装置１Ｚの制御データ１０には、ディジタル保護継電器２や入出力制御装置６が入出力対象とする機器を識別するデバイス名、監視操作ＴＡＧ１１を提供する制御装置名、監視操作ＴＡＧ名が予め定義されている。
制御装置１Ｚの伝送部１７は、制御装置１ＹからのＴＡＧ受信データ２３ａによりＴＡＧ名が合致する監視操作ＴＡＧ１１の状態量Ｖ、品質ＱおよびタイムスタンプＴで更新する。また、伝送部１７は、更新された制御量ＣＢｃを含むＴＡＧ送信データを制御装置１Ｙに転送する。
伝送入出力部１８は、更新された制御データの状態量Ｖ、品質ＱおよびタイムスタンプＴを給電指令装置５に転送すると共に、給電指令装置５から受信した給電指令受信データ２５に含まれる制御量Ｃによって制御データ１０を更新する。
【０１１３】
以上の結果により、給電指令装置５と制御装置１Ｚ、制御装置１Ｚと制御装置１Ｘ、制御装置１Ｘと入出力制御装置６の通信が成立する。
【０１１４】
本実施の形態によれば、監視操作ＴＡＧ１１を介して入出力制御装置６が入力対象とする計測機器をディジタル保護継電器２が入出力対象とする変成器（変流器ＣＴ、変圧器ＶＴ）や遮断器ＣＢと同様に給電指令装置５で監視できる。また、操作ＴＡＧ１１ｂを介して入出力制御装置６が出力対象とする制御機器を操作できる。
【０１１５】
本発明のいくつかの実施形態を説明したが，これらの実施形態は，例として提示したものであり，発明の範囲を限定することは意図していない。これら新規な実施形態は，その他の様々な形態で実施されることが可能であり，発明の要旨を逸脱しない範囲で，種々の省略，置き換え，変更を行うことができる。これら実施形態やその変形は，発明の範囲や要旨に含まれるとともに，特許請求の範囲に記載された発明とその均等の範囲に含まれる。
【符号の説明】
【０１１６】
１（１Ｘ（１Ｘａ、１Ｘｂ）、１Ｙ（１Ｙａ、１Ｙｂ）、１Ｚ）…制御装置、２…ディジタル保護継電器、２ａ…監視制御ＩＥＤ、２ｂ…保護ＩＥＤ、３…監視操作装置、４…エンジニアリング装置、５…給電指令装置、６（６Ａ，６Ｂ）…入出力制御装置、７…制御ネットワーク、８…Ｉ／Ｏネットワーク、９…制御ロジック、１０…制御データ、１１…監視操作ＴＡＧ、１１ａ…監視ＴＡＧ、１１ｂ…操作ＴＡＧ、１２…ＩＥＤ受信データ、１２ａ…監視制御ＩＥＤ受信データ、１２ｂ…保護ＩＥＤ受信データ、１３…監視制御ＩＥＤ送信データ、１４…入出力データ、１５…運転制御部、１６…演算部、１７…伝送部、１８…伝送入出力部、１９…入出力伝送部、２０…入力部、２１…出力部、２２ａ…受信データ、２２ｂ…送信データ、２３ａ…受信データ、２５…給電指令受信データ、２６ａ…入出力制御装置受信データ、２６ｂ…入出力制御装置送信データ、２８…健全度評価部
【図１】
2017022936.tif 000003
【図２】
2017022936.tif 000004
【図３】
2017022936.tif 000005
【図４】
2017022936.tif 000006
【図５】
2017022936.tif 000007
【図６Ａ】
2017022936.tif 000008
【図６Ｂ】
2017022936.tif 000009
【図６Ｃ】
2017022936.tif 000010
【図６Ｄ】
2017022936.tif 000011
【図６Ｅ】
2017022936.tif 000012
【図７】
2017022936.tif 000013
【図８Ａ】
2017022936.tif 000014
【図８Ｂ】
2017022936.tif 000015
【図８Ｃ】
2017022936.tif 000016
【図８Ｄ】
2017022936.tif 000017
【図９】
2017022936.tif 000018
【図１０】
2017022936.tif 000019
【図１１Ａ】
2017022936.tif 000020
【図１１Ｂ】
2017022936.tif 000021
【図１１Ｃ】
2017022936.tif 000022
【図１１Ｄ】
2017022936.tif 000023
【図１２】
2017022936.tif 000024
【図１３Ａ】
2017022936.tif 000025
【図１３Ｂ】
2017022936.tif 000026
【図１４】
2017022936.tif 000027
【図１５】
2017022936.tif 000028
【図１６】
2017022936.tif 000029
【図１７】
2017022936.tif 000030
【図１８Ａ】
2017022936.tif 000031
【図１８Ｂ】
2017022936.tif 000032
【図１８Ｃ】
2017022936.tif 000033
【図１８Ｄ】
2017022936.tif 000034